(57)【要約】【課題】ヘッドサスペンションアセンブリの組み立てや製造及び搬送時にサスペンションや磁気ヘッドに対する変形や破損などを防止することができるヘッドサスペンションアセンブリの保護装置を提供する。【解決手段】ＨＳＡ保護装置６０は、開閉自在に構成された第１の保護部材７０と第２の保護部材８０を備え、第１の保護部材７０には、複数のサスペンション２０を有するアクチュエータユニット２５を支持する第１の支持部７１と、アクチュエータユニット２５の一部から延出されるＦＰＣ３５に設けられたコネクタ３６を支持するコネクタ支持部７４とが設けられ、第２の保護部材８０には、コネクタ支持部７４に支持されたコネクタ３６を所定の位置に固定するコネクタロック部８３が設けられるので、ＨＳＡ１０の製造に伴う搬送時や外部との接触などによるサスペンション２０の変形やヘッド２１の破損を防止する。【選択図】        図１
2008047213.tif 000002
【特許請求の範囲】
【請求項１】
ヘッドが固定された複数のサスペンションを有するアクチュエータユニットとアクチュエータブロックとコイルを有するコイルアームユニットとから構成されるヘッドサスペンションアセンブリの保護装置であって、
前記保護装置は、
互いに開閉自在に構成される第１の保護部材と第２の保護部材とを備え、
前記第１の保護部材には、少なくとも前記サスペンションを有するアクチュエータユニットの一部を支持する第１の支持部と、
前記アクチュエータユニットの一部から延出されるケーブルに設けられたコネクタを支持する第２の支持部とが設けられ、
前記第２の保護部材には、前記第１の保護部材の第２の支持部に支持されたコネクタを所定の位置に固定する固定部材と
が設けられることを特徴とするヘッドサスペンションアセンブリの保護装置。
【請求項２】
前記保護装置を構成する前記第１の保護部材と前記第２の保護部材のうちの何れか一方の保護部材には、当該第１の保護部材と第２の保護部材との閉鎖に伴う前記ヘッドサスペンションアセンブリの搭載時に、当該保護装置を自立状態で平坦部に載置する一対の支持手段が設けられることを特徴とする請求項１に記載のヘッドサスペンションアセンブリの保護装置。
【請求項３】
前記保護装置を構成する前記第１の保護部材と前記第２の保護部材のうちの何れか一方の保護部材には、前記サスペンションを有するアクチュエータユニットの着脱角度及び前記コネクタの着脱角度を個別に調整する着脱角度調整手段が設けられることを特徴とする請求項１または２に記載のヘッドサスペンションアセンブリの保護装置。
【請求項４】
前記ヘッドサスペンションアセンブリは、前記サスペンションを有するアクチュエータユニットの保護を行なうヘッドクリップを備えるとともに、前記保護装置には、当該ヘッドクリップの脱落を防止する脱落防止部材が装着自在となっていることを特徴とする請求項１、２または３に記載のヘッドサスペンションアセンブリの保護装置。
【請求項５】
前記脱落防止部材の所定の位置には、前記保護装置の所定の位置に形成された嵌合凹部と嵌合自在な嵌合凸部が形成されていることを特徴とする請求項４に記載のヘッドサスペンションアセンブリの保護装置。
【発明の詳細な説明】
【技術分野】
【０００１】
本発明は、大型の汎用コンピュータ（メインフレーム）などに備えられる磁気ディスク装置（ＨＤＤ）の磁気ディスクに対して情報の書き込みや読み取り（記録／再生）を行なう複数のサスペンションを有するＨＳＡ（ヘッドサスペンションアセンブリ）の保護を行なう保護装置に関し、さらに詳しくは、ＨＳＡの製造時やＨＳＡの搬送途中にサスペンションの変形や磁気ヘッドの破損などを防止することができるヘッドサスペンションアセンブリの保護装置に関する。
【背景技術】
【０００２】
従来から大型の汎用コンピュータ（メインフレーム）などに備えられる磁気ディスク装置（ＨＤＤ）には、磁気ディスクに記録された情報の書き込みや読み取り（記録／再生）を行なうＨＳＡ（Head Saspensyon Assembly：ヘッドサスペンションアセンブリ）が使用されている。
【０００３】
[従来のＨＳＡの概略構成]
ここで、図１０を参照して、従来の磁気ディスク装置に使用されるＨＳＡ１０の概略構成について簡単に説明する。図１０は、従来のＨＳＡ１０の概略構成を示す斜視図である。同図に示すように、ＨＳＡ１０は、先端部に磁気ヘッド２１を設けた複数のサスペンション２０(図１０では、８個)を有するアクチュエータユニット２５と、アクチュエータブロック３０及びボイスコイル４１を保持するコイルサポート４２とにより構成されている。
【０００４】
また、アクチュエータブロック３０を構成するピポットハウジング３２の一部には、ＦＰＣ（フレキシブルケーブル）３５が延出され、このＦＰＣ３５の端部にはＬ字型に形成されたコネクタ３６が設けられている。
【０００５】
また、同図に示すように、複数のサスペンション２０の前側位置には、サスペンション２０の先端部に設けられた磁気ヘッド２１同士の接触を防止するためのヘッドクリップ５０が装着されている。そして、この図１０に示すＨＳＡ１０の場合、複数のサスペンション２０に設けた複数（図１０では、８個）の磁気ヘッド２１により４枚のディスクの表裏両面に対する情報（データ）の記録／再生を行なうことができる。
【０００６】
ここで、上述した磁気ディスク装置に使用されるＨＳＡ１０の場合、例えば、ＨＳＡ１０に直接作業者が手を触れたりした場合には、塵埃が付着したり、静電破壊（ＥＳＤ破壊）するなどの不具合が発生する恐れがあるため、ＨＳＡ１０の取り扱いや搬送時には繊細な注意が必要とされている。
【０００７】
そして、この種のＨＳＡの製造時や搬送時にＨＳＡに対する損傷や破損を防止するための保護装置に関する従来技術として、例えば、特許文献１には、対向する磁気ヘッドスライダの凹部（負圧発生部）に球形状の突起を設けて構成されたＨＳＡ用の治具について開示されている。本公知例の場合、磁気ヘッドスライダが振動により衝突した場合でも、球形状の突起が磁気ヘッドスライダの負圧発生部に接触するため、磁気ヘッドスライダの表面部と治具とが直接接触することはなく、これにより、磁気ヘッドスライダの損傷や破損などを防止することができる。
【０００８】
また、例えば、特許文献２には、キャリッジの軸穴を利用してピボットピンを設けると共に、アクチュエータの可動コイルの固定軸にピボットピンを設け、さらに、ピンには、保護板を装着するようにしたハードディスク装置に用いられる磁気ヘッド駆動用のアクチュエータの加工方法及び加工用の治具について開示されている。本公知例の場合、コム及び可動コイル部分の加工時の変形などを防止し、構造が安定した磁気ディスク装置のアクチュエータを製造することができる。
【０００９】
【特許文献１】特開２００５−１７４４５９号公報
【特許文献２】特開２００１−３５０９８号公報
【発明の開示】
【発明が解決しようとする課題】
【００１０】
ところが、上述したＨＳＡに対する保護対策に関する従来例の場合には、依然として、ＨＳＡ１０に対する塵埃付着やＨＳＡ１０の搬送時にサスペンションが損傷したり変形するなどの問題が発生する恐れがある。すなわち、従来例で示したように、ＨＳＡ１０は、複数のサスペンション２０を有するアクチュエータユニット２５と、アクチュエータブロック３０及びＦＰＣ３５で接続されたコネクタ３６とを有している。
【００１１】
このため、このように構成されるＨＳＡ１０を作業者が片手で取り扱うことは、極めて作業性が悪いうえ、ＨＳＡ１０を次の作業工程に搬送する場合などには、露出した状態で搬送することとなり、これにより、アクチュエータユニット２５或いはアクチュエータブロック３０とコネクタ３６との接触などでＨＳＡ１０を損傷してしまうという問題がある。さらに、製造したＨＳＡ１０を単体で保管する場合などに、所定の場所に載置しようとしても、安定性が悪いという問題がある。
【００１２】
また、ＨＳＡ１０を製造する場合には、サスペンション２０に固定された磁気ヘッド２１同士の接触を防止するために、櫛歯状のヘッドクリップ５０を取り付けて組み立てている。ところが、このＨＳＡ１０の場合、製造工程の途中で、洗浄水による洗浄工程があるため、この洗浄工程の途中での水圧によりヘッドクリップ５０がＨＳＡ１０から外れて脱落することがあり、この場合には、磁気ヘッド２１を破損する要因となる。また、このヘッドクリップ５０は、ＨＳＡ１０の搬送時にも外れて脱落する恐れがあるため、ヘッドクリップ５０の脱落防止対策が望まれている。
【００１３】
そこで、この発明は、上述した従来技術の課題を解決するためになされたものであり、ヘッドサスペンションアセンブリの製造時に伴う搬送などにサスペンションに対する変形や破損などを防止することができるヘッドサスペンションアセンブリの保護装置を提供することを目的とする。
【課題を解決するための手段】
【００１４】
上述した課題を解決し、目的を達成するため、請求項１に記載の発明は、ヘッドが固定された複数のサスペンションを有するアクチュエータユニットとアクチュエータブロックとコイルを有するコイルアームユニットとから構成されるヘッドサスペンションアセンブリの保護装置であって、前記保護装置は、互いに開閉自在に構成される第１の保護部材と第２の保護部材とを備え、前記第１の保護部材には、少なくとも前記サスペンションを有するアクチュエータユニットの一部を支持する第１の支持部と、前記アクチュエータユニットの一部から延出されるケーブルに設けられたコネクタを支持する第２の支持部とが設けられ、前記第２の保護部材には、前記第１の保護部材の第２の支持部に支持されたコネクタを所定の位置に固定する固定部材とが設けられることを特徴とする。
【００１５】
また、請求項２に記載の発明は、上記発明において、前記保護装置を構成する前記第１の保護部材と前記第２の保護部材のうちの何れか一方の保護部材には、当該第１の保護部材と第２の保護部材との閉鎖に伴う前記ヘッドサスペンションアセンブリの搭載時に、当該保護装置を自立状態で平坦部に載置する一対の支持手段が設けられることを特徴とする。
【００１６】
また、請求項３に記載の発明は、上記発明において、前記保護装置を構成する前記第１の保護部材と前記第２の保護部材のうちの何れか一方の保護部材には、前記サスペンションを有するアクチュエータユニットの着脱角度及び前記コネクタの着脱角度を任意に調整可能な着脱角度調整手段が設けられることを特徴とする。
【００１７】
また、請求項４に記載の発明は、上記発明において、前記ヘッドサスペンションアセンブリは、前記サスペンションを有するアクチュエータユニットの保護を行なうヘッドクリップを備えるとともに、前記保護装置には、当該ヘッドクリップの脱落を防止する脱落防止部材が装着自在となっていることを特徴とする。
【００１８】
また、請求項５に記載の発明は、上記発明において、前記脱落防止部材の所定の位置には、前記保護装置の所定の位置に形成された嵌合凹部と嵌合自在な嵌合凸部が形成されていることを特徴とする。
【発明の効果】
【００１９】
請求項１の発明によれば、保護装置は、互いに開閉自在に構成される第１の保護部材と第２の保護部材とを備え、第１の保護部材には、少なくとも複数のサスペンションを有するアクチュエータユニットの一部を支持する第１の支持部と、アクチュエータユニットの一部から延出されるケーブルに設けられたコネクタを支持する第２の支持部とが設けられ、第２の保護部材には、第１の保護部材の第２の支持部に支持されたコネクタを所定の位置に固定する固定部材とが設けられるので、ヘッドサスペンションアセンブリの組み立てや製造時及び搬送時に、作業者が直接ヘッドサスペンションアセンブリに触れたり、外部との接触によるサスペンションに対する変形や破損などを防止することができる。また、ヘッドサスペンションアセンブリの製造工程にともなうヘッドサスペンションアセンブリの搬送時にサスペンションの変形や破損などを防止することができる。
【００２０】
また、作業者がヘッドサスペンションアセンブリに直接触れることによるＥＳＤ破壊、塵埃付着、サスペンション変形、磁気ヘッドの破損などを確実に防止することができ、これにより、製品の歩留まりを向上することができる。
【００２１】
また、第１の保護部材に設けられた第１の支持部により複数のサスペンションを有するアクチュエータユニットの一部を支持し、第２の支持部によりアクチュエータユニットの一部から延出されるケーブルに設けられたコネクタを支持するので、複数のサスペンションを有するアクチュエータユニットとコネクタとを確実に保護することができる。
【００２２】
また、請求項２の発明によれば、保護装置にヘッドサスペンションアセンブリを装着した場合、このヘッドサスペンションアセンブリを搭載した保護装置は、一対の支持手段により自立状態で平坦部に載置することができるので、安定した状態でヘッドサスペンションアセンブリを保護することができるうえ、ヘッドサスペンションアセンブリを単体で保護装置に搭載したまま、製造した複数のヘッドサスペンションアセンブリを保管することができる。
【００２３】
また、請求項３に記載の発明によれば、前記着脱角度調整手段は、前記サスペンションを有するアクチュエータユニットの着脱角度と前記コネクタの着脱角度とを個別に調整するので、コネクタの着脱角度とアクチュエータユニットの着脱角度を変えることができ、これにより、それぞれアクチュエータユニットを含むアクチュエータブロックとコネクタとを個別に着脱できるうえ、２つの部品を個別に順次着脱することができる。
【００２４】
また、請求項４の発明によれば、ヘッドサスペンションアセンブリは、サスペンションを有するアクチュエータユニットの保護を行なうヘッドクリップを備えるとともに、保護装置には、当該ヘッドクリップの脱落を防止する脱落防止部材が装着自在となっているので、脱落防止部材によりヘッドクリップの脱落を確実に防止することができる。
【００２５】
また、請求項５の発明によれば、脱落防止部材の所定の位置には、保護装置の所定の位置に形成された嵌合凹部と嵌合自在な嵌合凸部が形成されているので、保護装置に脱落防止部材を装着した場合、何らかの外力や他の部材との接触によっても、保護クリップが脱落することを確実に防止することができる。
【発明を実施するための最良の形態】
【００２６】
以下に添付図面を参照して、この発明に係るＨＳＡの保護を行なうＨＳＡ保護装置の好適な実施例を詳細に説明する。なお、以下に示す実施例によりこの発明が限定されるものではない。
【実施例】
【００２７】
[ＨＳＡ及びＨＳＡ保護装置の構成]
先ず、図１を参照して、本実施例に係るＨＳＡ（ヘッドサスペンションアセンブリ）の構成について詳細に説明する。図１は、本実施例に係るＨＳＡ（ヘッドサスペンションアセンブリ）及び保護クリップを示す斜視図を示している。また、図２は、ＨＳＡの搭載及び保護クリップの装着を示すＨＳＡ保護装置の斜視図を示している。また、図３は、ＨＳＡ保護装置の後方を示す斜視図を示している。
【００２８】
図１に示すように、本実施例におけるＨＳＡ保護装置６０は、開閉自在に構成された第１の保護部材７０と第２の保護部材８０とを備えており、これら第１、２の保護部材７０、８０によりＨＳＡ１０を両側から挟持することで、このＨＳＡ１０をＨＳＡ保護装置６０の内部に搭載し、これにより、ＨＳＡ１０の組み立てや製造に伴う搬送時などにサスペンション２０の変形や磁気ヘッド２１の破損などを防止することに特徴がある。
【００２９】
具体的に説明すると、第１の保護部材７０と第２の保護部材８０との閉鎖時には、第１の保護部材７０の第１の支持部７１により複数のサスペンション２０を有するアクチュエータユニット２５及びアクチュエータブロック３０を支持することができる。
【００３０】
また、この第１の保護部材７０に設けられたコネクタ支持部７４により、アクチュエータブロック３０の一部から延出されるＦＰＣ（フレキシブルケーブル）３５に設けられたコネクタ３６を所定の位置に支持するとともに、第２の保護部材８０に設けられたコネクタロック部８３により所定の位置に固定することができる。また、第１の保護部材７０の本体部７０ａと第２の保護部材８０の本体部８０ａとによりボイスコイル４１を有するコイルサポート４２を保持することができる。
【００３１】
また、同図に示すように、このＨＳＡ保護装置６０には、別途、保護クリップ１００を装着させることができ、この保護クリップ１００により、ＨＳＡ１０の製造時に取り付けているヘッドクリップ５０の脱落を防止する構成としている。なお、ヘッドクリップ５０は、ＨＳＡ１０の製造時に取り付け固定される保護部品であり、このヘッドクリップ５０によりサスペンション２０の磁気ヘッド２１同士が接触し破損することなどを防止することができる。
【００３２】
先ず、図１、２及び図３を参照して、ＨＳＡ１０の構成を説明する。すなわち、図１、２及び図３に示すようにＨＳＡ１０（ヘッドサスペンションアセンブリ：Head Suspension Assembly）は、複数（図１では、８個）のサスペンション２０を有するアクチュエータユニット２５と、アクチュエータブロック３０とにより構成されている。
【００３３】
複数のサスペンション２０は、櫛歯状に整列した状態で設けられ、それぞれの先端部には、ディスクに対するデータの再生／記録を行なう磁気ヘッド２１が設けられている。また、アクチュエータユニット２５の後端部は、アクチュエータブロック３０に連結固定されている。サスペンション２０は、ステンレスプレートやアルミニウムを引き出し成形した後に所定の形状に加工することで製造することができる。
【００３４】
また、アクチュエータブロック３０は、ピボット軸受３１を有するピポットハウジング３２と、このピポットハウジング３２の後端部（図１の下側）に固定されたフラット形状のボイスコイル４１を保持するコイルサポート４２とにより構成されている。
【００３５】
さらに、ピポットハウジング３２の後端部(図１の下方)にはボイスコイル４１とともにボイスコイルモータを構成するボイスコイルヨーク（図示せず）が配置され、ボイスコイルヨークの内側には永久磁石が取り付けられ静磁界を形成している。
【００３６】
これにより、複数のサスペンション２０は、ピポットハウジング３２の内部に設けたピボット軸受３１のピボット軸３３を中心に回動することができる。後述するように、複数のサスペンション２０を有するアクチュエータユニット２５及びアクチュエータブロック３０は、ＨＳＡ保護装置６０を構成する第１の保護部材７０の第１の支持部７１により支持することができる。
【００３７】
また、ピポットハウジング３２の上面部(図１の上側)からは、ＦＰＣ（フレキシブルケーブル）３５が延出され、このＦＰＣ（フレキシブルケーブル）３５の端部にはＬ字型に形成されたコネクタ３６が設けられている。このコネクタ３６には、取り付け板３７が固定されている。後述するように、この取り付け板３７は、ＨＳＡ１０を組み立てる時に、使用される組み立て装置側の部品が取り付けられる取り付け部として機能する。
【００３８】
ＦＰＣ（フレキシブルケーブル）３５は、ＰＥＴなどの可撓性樹脂フィルム及び可撓性樹脂フィルムの上面に銅箔によりパターン形成された導体配線と導体配線を覆う保護層により構成されている。後述するように、このＦＰＣ３５に設けられたコネクタ３６は、ＨＳＡ保護装置６０を構成する第１の保護部材７０に設けられたコネクタ支持部７４により支持することができる。
【００３９】
また、ピポットハウジング３２の一端部(図１の右側)には、ピン３４が固設され、このピン３４の一部には凹部３４ａが形成され、この凹部３４ａには、略Ｌ字状に成形されたヘッドクリップ５０のアーム部５１が嵌合している。前述したように、ヘッドクリップ５０は、ＨＳＡ１０の製造時に取り付け固定される保護部品であり、このヘッドクリップ５０によりサスペンション２０の磁気ヘッド２１同士が接触し破損することを防止することができる。
【００４０】
[保護クリップ１００の構成]
すなわち、図１に示すように、保護クリップ１００は、略Ｌ字型に形成されるとともに、磁気ヘッド２１の前方を覆う部位に配置される平行板部１１０と斜行板部１２０とを有するアーム部材１３０により構成されている。このうち、平行板部１１０の片側には、内方に向けて延出した爪板部１１１が形成されている。
【００４１】
すなわち、平行板部１１０により磁気ヘッド２１の前端部(図１の右側)が他の部品と接触することを防止し、さらに、爪板部１１１によりサスペンション２０に取り付けたヘッドクリップ５０の脱落を防止している。
【００４２】
一方、斜行板部１２０の基端部の表面には、外方に向けて固設されたヘッドクリップ５０を手で持つための把持部１２１及び内方に向けて固設されたピン１２２と、基端部からほぼ直角に屈曲した屈曲部１２３とが設けられている。この屈曲部１２３の内端面には、円形凸部１２４(図３)が形成されている。
【００４３】
すなわち、ＨＳＡ保護装置６０に保護クリップ１００を装着させる場合、ピン１２２をＨＳＡ保護装置６０を構成するＨＳＡ支持部７１の側面部に形成された円形挿入孔７２(図３)に挿通し、屈曲部１２３に形成された円形凸部１２４を、同じく、ＨＳＡ支持部７１の側面部に形成された円形凹孔７３に嵌合させる。
【００４４】
これにより、保護クリップ１００をＨＳＡ保護装置６０に装着させることができる。そして、このように、ＨＳＡ保護装置６０に保護クリップ１００を装着した場合、例えば、何らかの外力や他の部材との接触によっても、ヘッドクリップ５０が外れたり脱落することを確実に防止することができる。
【００４５】
以上説明したＨＳＡ１０の場合、複数のサスペンション２０に設けた複数（図１では、８個）の磁気ヘッド２１により４枚のディスクの表裏両面に対する記録／再生を行なうことができる。
【００４６】
[ＨＳＡ保護装置６０の構成及び特徴]
次に、前述した図１〜図３及び図４〜図６を参照して、ＨＳＡ保護装置６０の特徴及び構成について詳細に説明する。図４は、第１の保護部材の全体構成を示す斜視図を、図５は、第１の保護部材の全体構成を示す平面図をそれぞれ示している。また、図６は、第２の保護部材の全体構成を示す平面図を、図７は、ＨＳＡ保護装置の載置状態の正面図をそれぞれ示している。なお、図中に示すＸ点、Ｙ点、Ｚ点は、ＨＳＡ保護装置６０がＨＳＡ１０のアクチュエータブロック３０を把持する部分であり、それぞれＨＳＡ１０とＨＳＡ保護装置６０とが接触する個所を示している。
【００４７】
ここで、同図に示すように、ＨＳＡ保護装置６０は、略Ｌ字型に形成された第１の保護部材７０と、矩形型に形成された第２の保護部材８０とを有し、このうち、第１の保護部材７０は本体部７０ａと、この本体部７０ａの前側(図１の右側)に形成されたＨＳＡ支持部７１と支持台部７１ａとより構成されている。
【００４８】
ＨＳＡ支持部７１の上面部は、略Ｖ字型に形成された載置部７９となっており、この載置部７９にＨＳＡ１０のサスペンション２０及びアクチュエータブロック３０が載置されるとともに、保持されることとなる。また、ＨＳＡ支持部７１の側面部には、互いに隣接する円形挿入孔７２と円形凹孔７３とが形成されている。前述したように、これら円形挿入孔７２と円形凹孔７３を利用して保護クリップ１００を装着する構成としている。
【００４９】
また、本体部７０ａの上面部(図１〜図６の上側)には、コネクタ支持部７４が設けられている。さらに、本体部７０ａの内側面部７０ｂには、第１の保護部材７０と第２の保護部材８０とで開閉機構９０を構成する第１の嵌合部７６が固設され、この第１の嵌合部７６には挿通孔７７が形成されている。この第１の嵌合部７６は、第２の保護部材８０の本体部８０ａの内側面部８０ｂに形成された第２の嵌合部８４、８５と嵌合することができる。
【００５０】
すなわち、第２の保護部材８０は本体部８０ａと、この本体部８０ａの前面部を形成する係合板部８１とにより構成され、係合板部８１の一部には内側に向けて延出された係合片８２が形成されている。この係合片８２は、第１の保護部材７０と第２の保護部材８０との閉鎖時に、第１の保護部材７０側の凹部７１ｂと係合する構成となっている。後述するように、この係合片８２は、コネクタ３６及びアクチュエータユニット２５を有するアクチュエータブロック３０の着脱角度を変える部材として機能する。
【００５１】
また、本体部８０ａの上面側(図６の上側)には、コネクタロック部８３が設けられている。さらに、本体部８０ａの内側面部８０ｂには、開閉機構９０を構成する上下一対の第２の嵌合部８４、８５がそれぞれ固設され、これら第２の嵌合部８４、８５には、挿通孔８６、８７(図６)が形成されている。これら第２の嵌合部８４、８５は、第１の保護部材７０の本体部７０ａの内側面部７０ｂに形成された第１の嵌合部７６(図５)と嵌合することができる。
【００５２】
すなわち、開閉機構９０は、第１の保護部材７０の本体部７０ａの内側面部７０ｂに設けられた第２の嵌合部７６と、第２の保護部材８０の本体部８０ａの内側面に設けられた一対の第２の嵌合部８４、８５とが嵌合するとともに、第１の嵌合部７６と第２の嵌合部８４、８５とにそれぞれ形成された挿通孔７７及び挿通孔８６、８７に挿通された回動ピン(図示せず)を中心として回動する。
【００５３】
また、これら第１、２の保護部材７０、８０の本体部７０ａ、８０ａの内側面部７０ｂ、８０ｂには、圧縮バネ部材１５１(図３)が介在されており、この圧縮バネ部材１５１により、ＨＳＡ保護装置６０を構成する第１の保護部材７０と第２の保護部材８０を中心として圧縮バネ部材１５１の弾力に抗して、開閉自在となっている。圧縮バネ部材１５１の両端部は、第１、２の保護部材７０、８０の内側面部７０ｂ、８０ｂに形成された円形凹孔７５、８８に嵌め込まれている。
【００５４】
[ＨＳＡ保護装置６０の自立状態の概要説明]
図７は、ＨＳＡ１０を搭載したＨＳＡ保護装置６０の載置状態を示す正面図を示している。すなわち、同図に示すように、ＨＳＡ保護装置６０にＨＳＡ１０を搭載した場合、このＨＳＡ１０を搭載したＨＳＡ保護装置６０は、ＨＳＡ支持部７１と支持台部７１ａとにより自立状態で平坦部に載置することができるので、安定した状態でＨＳＡ１０を保護することができる。
【００５５】
具体的には、このように、ＨＳＡ保護装置６０にＨＳＡ１０を搭載し、第１の保護部材７０と第２の保護部材８０とを閉鎖した場合、このＨＳＡ保護装置６０は、ＨＳＡ支持部７１と支持台部７１ａとにより自立状態とすることができる。また、このようにＨＳＡ１０を単体でＨＳＡ保護装置６０に搭載したまま、製造した複数のＨＳＡ１０を平坦部に載置させた状態で保管することができる。
【００５６】
また、図８は、ＨＳＡ保護装置６０に対するアクチュエータブロック３０及びコネクタ３６の取り付け状態及びＨＳＡ１０の取り出しを説明する斜視図を、図９は、ＨＳＡ保護装置６０に対する組み付け部品との関係を示す説明図をそれぞれ示している。
【００５７】
図８に示すように、ＨＳＡ１０をＨＳＡ保護装置６０から取り外す場合には、第１の保護部材７０及び第２の保護部材８０の後端部を手で持ち内側に向けて挟み込むことにより、第１の保護部材７０及び第２の保護部材８０は、開閉機構９０を構成する第１の嵌合部７６と第２の嵌合部８４、８５を中心として圧縮バネ部材１５１の弾力に抗して回動させることができ、これにより、第１の保護部材７０及び第２の保護部材８０の先端部を開放させることにより、ＨＳＡ１０をＨＳＡ保護装置６０から取り外すことができる。
【００５８】
ここで、本実施例では、第２の保護部材８０の係合板部８１に設けた係合片８２により、サスペンション２０を有するアクチュエータユニット２５の着脱角度とコネクタ３６の着脱角度とを個別に変更することができる。具体的には、コネクタ３６の着脱角度とアクチュエータユニット２５の着脱角度をそれぞれ変えることができ、これにより、それぞれアクチュエータユニット２５を含むアクチュエータブロック３０とコネクタ３６とを個別に順次取り外すことができる。
【００５９】
図９は、ＨＳＡ保護装置６０に対する組み立て装置の組み立て部品との関係を示す説明図である。同図に示すように、図中の部品Ａ〜部品Ｅは、ＨＳＡ１０用の組み立て装置側(図示せず)の組み立て部品の一部を示しており、ＨＳＡ１０は、ＨＳＡ保護装置６０に搭載した状態で、組み立て装置の組み立て部品に装着させることができる。
【００６０】
以上説明したように、本実施例のＨＳＡ保護装置６０を構成する第１の保護部材７０には、複数のサスペンション２０を有するアクチュエータユニット２５の一部を支持する第１の支持部７１と、アクチュエータユニット２５の一部から延出されるＦＰＣ３５に設けられたコネクタ３６を支持する第２の支持部とが設けられ、第２の保護部材には、ＦＰＣ３５の第２の支持部８３に支持されたコネクタ３６を所定の位置に固定するコネクタロック部８３とが設けられるので、ＨＳＡ１０の製造工程にともなう搬送時に、外部との接触によるサスペンション２０に対する変形や破損などの悪影響を回避／防止することができる。
【００６１】
さらに、このＨＳＡ保護装置６０には、保護クリップ１００を装着することができるため、これにより、ＨＳＡ１０のサスペンション２０及び磁気ヘッド２１を保護するとともに、ヘッドクリップ５０の脱落を防止し、ＨＳＡ１０の製造に伴う搬送時にサスペンション２０の変形や磁気ヘッド２１の破損などを確実に防止することができる。なお、本発明は、磁気ディスク装置用の磁気ヘッドサスペンションアセンブリと同様の構成を有する、光ヘッドや光磁気ヘッドを有する光ディスク装置や光磁気ディスク装置のヘッドアセンブリにも応用可能である。
【００６２】
（付記１）ヘッドが固定された複数のサスペンションを有するアクチュエータユニットとアクチュエータブロックとコイルを有するコイルアームユニットとから構成されるヘッドサスペンションアセンブリの保護装置であって、
前記保護装置は、
互いに開閉自在に構成される第１の保護部材と第２の保護部材とを備え、
前記第１の保護部材には、少なくとも前記サスペンションを有するアクチュエータユニットの一部を支持する第１の支持部と、
前記アクチュエータユニットの一部から延出されるケーブルに設けられたコネクタを支持する第２の支持部とが設けられ、
前記第２の保護部材には、前記第１の保護部材の第２の支持部に支持されたコネクタを所定の位置に固定する固定部材と
が設けられることを特徴とするヘッドサスペンションアセンブリの保護装置。
【００６３】
（付記２）前記保護装置を構成する前記第１の保護部材と前記第２の保護部材のうちの何れか一方の保護部材には、当該第１の保護部材と第２の保護部材との閉鎖に伴う前記ヘッドサスペンションアセンブリの搭載時に、当該保護装置を自立状態で平坦部に載置する一対の支持手段が設けられることを特徴とする付記１に記載のヘッドサスペンションアセンブリの保護装置。
【００６４】
（付記３）前記保護装置を構成する前記第１の保護部材と前記第２の保護部材のうちの何れか一方の保護部材には、前記サスペンションを有するアクチュエータユニットの着脱角度及び前記コネクタの着脱角度を調整する着脱角度調整手段が設けられることを特徴とする付記１または２に記載のヘッドサスペンションアセンブリの保護装置。
【００６５】
（付記４）前記ヘッドサスペンションアセンブリは、前記サスペンションを有するアクチュエータユニットの保護を行なうヘッドクリップを備えるとともに、前記保護装置には、当該ヘッドクリップの脱落を防止する脱落防止部材が装着自在となっていることを特徴とする付記１、２または３に記載のヘッドサスペンションアセンブリの保護装置。
【００６６】
（付記５）前記脱落防止部材には、前記サスペンションに固定されたヘッドに対する保護を行なうヘッド保護部が形成されていることを特徴とする付記４に記載のヘッドサスペンションアセンブリの保護装置。
【００６７】
（付記６）前記脱落防止部材の所定の位置には、前記保護装置の所定の位置に形成された嵌合凹部と嵌合自在な嵌合凸部が形成されていることを特徴とする付記４または５に記載のヘッドサスペンションアセンブリの保護装置。
【図面の簡単な説明】
【００６８】
【図１】本実施例に係るＨＳＡ及びＨＳＡ保護装置を示す斜視図である。
【図２】ＨＳＡの搭載及び保護クリップの装着を示すＨＳＡ保護装置の斜視図である。
【図３】ＨＳＡ保護装置の後方を示す斜視図である。
【図４】第１の保護部材の全体構成を示す斜視図である。
【図５】第１の保護部材の全体構成を示す平面図である。
【図６】第２の保護部材の全体構成を示す平面図である。
【図７】ＨＳＡ保護装置の載置状態を示す正面図である。
【図８】ＨＳＡ保護装置に対するＨＳＡ及びコネクタの取り付け状態及びＨＳＡの取り出しを説明する斜視図である。
【図９】ＨＳＡ保護装置に対する組み付け部品との関係を示す説明図である。
【図１０】従来のＨＳＡの全体構成示す斜視図である。
【符号の説明】
【００６９】
１０  ＨＳＡ
２０  サスペンション
２１  磁気ヘッド
２５  アクチュエータユニット
３０  アクチュエータブロック
３１  ピボット軸受
３２  ピボットハウジング
３３  ピボット軸
３５  ＦＰＣ
３６  コネクタ
３７  取り付け板
４１  ボイスコイル
４２  コイルサポート
５０  ヘッドクリップ
６０  ＨＳＡ保護装置
７０  第１の保護部材
７１ａ  支持台部
７１ｂ  凹部
７２  円形挿通孔
７３  円形凹孔
７４  コネクタ支持部
７５、８８  円形凹孔
８０  第２の保護部材
８３  コネクタロック部
９０  開閉機構
１００  保護クリップ
１１０  平行板部
１１１  爪板部
１２０  斜行板部
１２１  把持部
１２２  ピン
１２３  屈曲部
１２４  円形凸部
１３０  アーム部材
１５１  圧縮バネ部材
【図１】
2008047213.tif 000003
【図２】
2008047213.tif 000004
【図３】
2008047213.tif 000005
【図４】
2008047213.tif 000006
【図５】
2008047213.tif 000007
【図６】
2008047213.tif 000008
【図７】
2008047213.tif 000009
【図８】
2008047213.tif 000010
【図９】
2008047213.tif 000011
【図１０】
2008047213.tif 000012